(57)【特許請求の範囲】
【請求項１】
グリル庫内でガスを燃焼するバーナと、
上記バーナの着火を検出し表示する着火検出手段と、
上記バーナの燃焼制御を行うコントローラと、
上記コントローラに電力供給を行う乾電池と、
上記乾電池の電圧を検出し、該電圧が基準レベルより低くなった場合に上記乾電池の交換時期がきたことを表示する表示器を有する電池交換時期検出手段とを備えたグリル付ガス調理器において、
上記表示器を上記着火検出手段の着火表示と兼用し、着火検出時に電池交換時期の表示とは異なる表示態様にて表示すると共に、上記乾電池の交換時期が上記バーナの着火と同時に生じた場合には、上記乾電池の交換時期表示を優先することを特徴とするグリル付ガス調理器。
【発明の詳細な説明】
【０００１】
【発明の属する技術分野】
本発明は、乾電池を電源として動作するグリル付ガス調理器に関する。
【０００２】
【従来の技術】
従来から、乾電池を電源とし、グリルバーナの着火や電池交換時期を報知するガス器具が知られている。例えば、グリル付ガス調理器のグリルは、後方排気方式のものが多くなり、グリル庫は天板で完全に覆われてグリル庫内の着火状況を外部からのぞき見るのは容易ではない。そこで、従来からグリルの火炎を検知する熱電対の起電力が所定レベル以上になるとＬＥＤ等の表示器を点灯してグリルの着火を表示するようにしたものが知られている。また、バーナの点火を乾電池を電源とするイグナイターで行うガス器具が普及し、乾電池の電源電圧が所定レベル以下になるとＬＥＤ等の表示器を点灯して、電池の交換時期がきていることを表示するようにしたものが知られている。
【０００３】
【発明が解決しようとする課題】
しかしながら、グリルの着火を表示する表示器と電池の交換時期を表示する表示器といった２つの表示器を設ける場合、部品点数が増えると共に、回路が複雑になり余分なコストがかかってしまう。また、２つの表示器は同一品を近接した位置に設ける方が配線等の製造が容易になり好ましいが、表示態様が同じであるため、電池消耗の表示がされてもグリルの着火の表示とすぐには区別がつかず電池の交換時期がきているのにガス器具を使用して故障と誤判断することがあった。
【０００４】
本発明のグリル付ガス調理器は上記課題を解決し、電池の交換時期，グリルの着火の表示性能を損なうことなく部品点数の少ない低コストのものを提供することを目的とする。
【０００５】
【課題を解決するための手段】
上記課題を解決する本発明の請求項１記載のグリル付ガス調理器は、グリル庫内でガスを燃焼するバーナと、
上記バーナの着火を検出し表示する着火検出手段と、
上記バーナの燃焼制御を行うコントローラと、
上記コントローラに電力供給を行う乾電池と、
上記乾電池の電圧を検出し、該電圧が基準レベルより低くなった場合に上記乾電池の交換時期がきたことを表示する表示器を有する電池交換時期検出手段とを備えたグリル付ガス調理器において、
上記表示器を上記着火検出手段の着火表示と兼用し、着火検出時に電池交換時期の表示とは異なる表示態様にて表示すると共に、上記乾電池の交換時期が上記バーナの着火と同時に生じた場合には、上記乾電池の交換時期表示を優先することを要旨とする。
【０００６】
上記構成を有する本発明の請求項１記載のグリル付ガス調理器は、電池交換時期検出手段の表示器を着火検出手段の表示器と兼用し、交換時期表示と表示態様を変えて使用したので、それぞれの表示の判別が容易にできると共に、両検出手段の構成部品を低減することができる。
また、乾電池の交換時期がバーナの着火と同時に生じた場合には、乾電池の交換時期表示を優先する。
【０００７】
【発明の実施の形態】
以上説明した本発明の構成・作用を一層明らかにするために、以下本発明のガス調理器の好適な実施例について説明する。図１は、本発明の一実施例としてのグリル付ガス調理器の外観図である。このグリル付ガス調理器は、上面天板１の左右にこんろバーナ２ａ，２ｂが備えられ、左側こんろバーナ２ａには鍋底の過熱防止を行う温度センサ３が設けられている。また、正面パネル１０の略中央に開閉扉１１を備え、その内部には魚等の調理物を燃焼加熱するためのグリルバーナ１２を設けたグリル庫３０を備える。また、正面パネル１０の右側にはグリルバーナ１２の点火、消火を行なうための点火ボタン１３ａと、グリルバーナ１２の燃焼量を調節するための火力調節レバー１４ａとを備える。また、正面パネル１０の左側には乾電池１６を収納する電池ケース１７が備えられている。
そして、正面パネル１０左側の電池ケース１７の上方にグリルバーナ１２の着火や乾電池１６の交換時期の表示を行なうＬＥＤ１５を備える。
【０００８】
次に、このグリル付ガス調理器のグリル部とこんろ部の構成について説明する。図２は、グリル部とセンサ付こんろ部の概略構成図である。グリル部は、ガスを燃焼するグリルバーナ１２と、グリルバーナ１２にガスを供給するためのガス供給路１８ａと、高電圧を発生するイグナイタ１９と、イグナイタ１９からの高電圧が印加されることでスパークする電極２０ａと、グリルバーナ１２の失火を検知する熱電対２１ａと、燃焼制御を司どるコントローラ２２と、表示ランプのＬＥＤ１５と、イグナイタ１９及びコントローラ２２の電源となる乾電池１６とを備える。またガス供給路１８ａには、点火ボタン１３ａの押操作で開弁し次の押操作で閉弁するメイン弁２３ａと、点火ボタン１３ａに押されて開弁し熱電対２１ａの熱起電力で通電されることにより吸着開弁状態を保持するマグネット弁２４ａとを備える。また、熱電対２１ａの出力はコントローラ２２にグリルバーナ１２の着火確認用として入力されている。
また、点火ボタン１３ａ，１３ｂによる点火時の押操作時にのみＯＮするスイッチＳ２と、点火ボタンの押操作でＯＮし次の押操作でＯＦＦするスイッチＳ１とがそれぞれ備えられている。
【０００９】
センサ付こんろ部は、ガスを燃焼するこんろバーナ２ａと、こんろバーナ２ａにガスを供給するためのガス供給路１８ｂと、イグナイタ１９からの高電圧が印加されることでスパークする電極２０ｂと、こんろバーナ２ａの失火を検知する熱電対２１ｂと、グリル部と共用にしているコントローラ２２と、ＬＥＤ１５と、乾電池１６とを備える。またガス供給路１８ｂには、点火ボタン１３ｂの押操作で開弁し次の押操作で閉弁するメイン弁２３ｂと、点火ボタン１３ｂに押されて開弁しコントローラ２２からの通電により吸着開弁状態を保持するマグネット弁２４ｂとを備える。尚、右こんろ部については左こんろとほぼ同じであるため説明を省略する。
【００１０】
コントローラ２２は、図示しない周知の算術論理演算回路を構成するＣＰＵ、ＲＡＭ、ＲＯＭと、各種センサからの信号を入力する入力インタフェースと、各種アクチュエータに駆動信号を出力する出力インタフェース等から構成される。また、グリルの熱電対２１ａで発生しコントローラ２２に入力された熱起電圧が所定値以上になった時に着火ありと判断してＬＥＤ１５に通電し、所定値以下になった時に着火なしと判断して通電を停止する着火ランプ点灯回路を備える。また、センサ付こんろの熱電対２１ｂから発生する熱起電圧が所定値（本実施例では１．７５ｍＶ）以上になった時に着火ありと判断してマグネット弁２４ｂに通電し、所定値以下になった時に失火したと判断して通電を停止するマグネット弁駆動回路を備える。また、温度センサ３の検出値が所定値以上になった時に異常加熱と判断してマグネット弁２４ｂの通電を停止するマグネット弁駆動回路を備える。
【００１１】
また、乾電池１６の電圧が所定値以下になった時に乾電池１６の交換時期がきたと判断してＬＥＤ１５に通電するランプ点滅回路を備える。また、乾電池１６の交換時期とグリルバーナ１２の着火時とは表示信号が異なるように設定されている。つまり、グリルバーナ１２が着火した場合、ＬＥＤ１５は点灯したままであるが、乾電池１６の交換時期がきた場合は点滅を繰り返す。また、乾電池の交換時期がグリルバーナ１２の着火と同時に生じた場合は、乾電池１６の交換時期表示を優先するように設定されている。
尚、コントローラ２２は乾電池１６から常時通電されており、器具が使用されていないときにはスリープ状態となって電力消費を低減する。
【００１２】
次に、本実施例のグリル付ガス調理器のグリル部の動作について図３のフローチャートを用いて説明する。点火ボタン１３ａを押すと、メイン弁２３ａ、マグネット弁２４ａが機械的に押し開かれてグリルバーナ１２にガスが流れ、同時にスイッチＳ１、Ｓ２がＯＮし、イグナイター１９がＯＮして電極２０ａがスパークする。このスイッチＳ１のＯＮと同期して着火表示ルーチンが起動する。まず熱電対２１ａの出力電圧Ｖｘを読み込み（Ｓ１）、Ｖｘが予め設定された設定電圧Ｖｓ（ＭＧ弁が吸着保持可能な電圧レベル）より大きいか否かを判断する。点火開始直後では、熱電対２１ａの加熱遅れのためＶｘ＜Ｖｓとなるが（Ｓ２；ＮＯ）、燃焼熱により熱電対２１ａが加熱されてＶｘ＞Ｖｓとなると（Ｓ２；ＹＥＳ）ＬＥＤ１５に通電して点灯表示する（Ｓ３）。従って、使用者はこの点灯表示によりグリルバーナ１２が確実に着火されたことを知ることができ、この時点で点火ボタン１３ａから手を離してもＭＧ吸着により燃焼継続できる。こうして使用者が点火ボタン１３ａから手を離すとスイッチＳ２がＯＦＦしてイグナイタ１９を停止し、ＭＧ弁２４ａ吸着開弁保持により燃焼継続される。また、このルーチンは点火ボタン１３ａが再度押されて消火操作されるまで繰り返し実行されるため（Ｓ５）燃焼途中で失火してしまった場合にはＭＧ弁２４ａが閉弁すると共に、Ｖｘ＜Ｖｓの検出によりＬＥＤ１５への通電が停止され（Ｓ４）立ち消えしたことも使用者に容易にわかる。また、点火操作の後もこの点灯表示により離れた場所からでもグリル３０の使用中であることがわかり便利である。こうした制御を実施中、使用者が点火ボタン１３ａを再度押すとメイン弁２３ａ閉すると共にスイッチＳ１がＯＦＦして（Ｓ５）本ルーチンを終了しＬＥＤ１５も消灯する。また、グリル３０の使用中であることを表すだけでなく、点火時にボタン１３ａを離す（継続燃焼できる）タイミングを知らせるので早く手を離してしまって点火失敗するといったことも防止できる。
【００１３】
次に、本実施例のグリル付ガス調理器のセンサ付こんろの動作について図４のフローチャートを用いて説明する。点火操作を開始しこんろ点火ボタン１３ｂを押すと、メイン弁２３ｂ、マグネット弁２４ｂが機械的に押し開かれてこんろバーナ２ａにガスが流れ、同時にスイッチＳ１、Ｓ２がＯＮし、イグナイター１９がＯＮして電極２０ｂがスパークする。このスイッチＳ１のＯＮと同期して乾電池交換時期表示ルーチンが起動する。まず乾電池１６の電圧Ｅを読み込み（Ｓ１）、Ｅが予め設定された基準電池電圧（本実施例では２Ｖ）より大きいか否かを判断する。基準電池電圧より小さいＥ＜ＥＳの場合は（Ｓ２；ＮＯ）、ＬＥＤ１５に通電して点滅表示する（Ｓ２０）。従って、使用者はこの点滅表示により乾電池を交換する時期がきたことを知る。Ｅが基準電池電圧より大きいＥ＞Ｅｓの場合は（Ｓ２；ＹＥＳ）、センサ付こんろバーナ２ａの燃焼熱により加熱された熱電対２１ｂの熱起電圧Ｖｘを読み込み（Ｓ３）、その電圧Ｖｘが予め設定された基準熱起電圧Ｖｓ（本実施例では１．７５ｍＶ）より大きいか否かを判断する。点火開始直後では、熱電対２１ｂの加熱遅れのためＶｘ＜Ｖｓとなるが（Ｓ４；ＮＯ）、燃焼熱により熱電対２１ａが加熱されてＶｘ＞Ｖｓとなると（Ｓ４；ＹＥＳ）ＭＧ弁２４ｂに通電し、この時点で点火ボタン１３ｂから手を離してもＭＧ吸着により燃焼継続できる。こうして使用者が点火ボタン１３ｂから手を離すとスイッチＳ２がＯＦＦしてイグナイタ１９を停止し、ＭＧ弁２４ｂ吸着開弁保持により燃焼継続される。次に、鍋底温度が所定値をオーバーしていないか否かを判断し、所定値以上の過熱状態にある場合はＭＧ弁を非通電にして燃焼を停止する。こうした制御を実施中、使用者が点火ボタン１３ｂを再度押すとメイン弁２３ｂ閉すると共にスイッチＳ１がＯＦＦの場合（Ｓ７；ＹＥＳ）ＭＧ弁２４ｂは非通電となり（Ｓ８）本ルーチンを終了しＬＥＤ１５も消灯する。
【００１４】
以上説明したように、本実施例のグリル付ガス調理器によれば、交換時期検出手段に使用する表示器を着火検出手段に使用する表示器と兼用し、その表示態様を変えたので、報知内容の判別が容易にできると共に、両検出手段の構成部品を低減することができる。
【００１５】
以上本発明の実施例について説明したが、本発明はこうした実施例に何等限定されるものではなく、例えば本実施例においてはＬＥＤの点灯，点滅による表示を行ったが、表示パネルによる文字表示等であってもよく、乾電池チェックをグリルの点火ルーチンに加えてもよい、本発明の要旨を逸脱しない範囲において、種々なる態様で実施し得ることは勿論である。
【００１６】
【発明の効果】
以上詳述したように、本発明のグリル付ガス調理器によれば、交換時期検出手段に使用する表示器を着火検出手段と兼用し、着火検出時の表示を異なった表示態様にしたので、報知内容の判別が容易にできると共に、両検出手段の構成部品を低減することができるので経済的である。
また、乾電池の交換時期がバーナの着火と同時に生じた場合には、乾電池の交換時期表示を優先する。
【図面の簡単な説明】
【図１】本実施例のグリル付ガス調理器の外観図である。
【図２】本実施例のグリル付ガス調理器のグリル部とセンサ付こんろ部の概略構成図である。
【図３】本実施例のグリル部の動作を示すフローチャート図である。
【図４】本実施例のセンサ付こんろ部の動作を示すフローチャート図である。
【符号の説明】
１０…正面パネル
１２…グリルバーナ
１３ａ，１３ｂ…点火ボタン
１５…ＬＥＤ
１６…乾電池
２１ａ，２１ｂ…熱電対、
２２…コントローラ
２３ａ，２３ｂ…メイン弁
２４ａ，２４ｂ…マグネット弁
３０…グリル庫
【図１】
0003693197.tif 000002
【図２】
0003693197.tif 000003
【図３】
0003693197.tif 000004
【図４】
0003693197.tif 000005